(57)【要約】【課題】入隅をなして相対する２つの構造物の間隙を平らなカバー材で閉塞させることで、カバー材が存在しても２つの構造物が突き合わさる入隅本来の外観が保たれるエキスパンションジョイントの提供。【解決手段】入隅をなして相対する２つの構造物１、２の間隙３を、カバー材５で閉塞させるエキスパンションジョイントにおいて、上記カバー材５は、一端を第一構造物１に接し、他端は第二構造物２の一部分に重なるように延出する平なもので、裏側には第一構造物１に近接して回動アーム６を有するホルダー４を付設し、上記回動アーム６の基部を第一構造物に支持される受部材７に枢着し、上記ホルダー４の裏側の中間部にはばねの摺動部８を設けて、この摺動部８に第一構造物１に支持される受部材７に取付部９ａを支持させたばね９の弾発部９ｂを係合させ、上記ホルダー４の第二構造物２に対応する当り面１０が第二構造物２に押し当てられるようにしたこと。【選択図】図１
2008088661.tif 000002
【特許請求の範囲】
【請求項１】
入隅をなして相対する第一構造物と第二構造物との間隙を、第一構造物にホルダーにより回動可能に取り付けたカバー材で閉塞させるエキスパンションジョイントにおいて、
上記カバー材は、一端を第一構造物に接し、他端は第二構造物の一部分に重なるように延出する平なもので、裏側には第一構造物に近接して回動アームを有するホルダーを付設し、上記回動アームの基部を第一構造物に支持される受部材に枢着したものであり、
上記ホルダーの裏側の中間部にはばねの摺動部を設けて、この摺動部に第一構造物に支持される受部材に取付部を支持させたばねの弾発部を係合させ、上記ホルダーの第二構造物に対応する当り面が第二構造物に押し当てられるようにした
ことを特徴とするエキスパンションジョイント。
【請求項２】
上記ばねが受部材に支持される取付部と、ばねの摺動部に係合させる弾発部との間に可撓部を有するダブルのワイヤフォーミングばねである
ことを特徴とする請求項１に記載のエキスパンションジョイント。
【請求項３】
上記ばねが受部材に支持される取付部と、ばねの摺動部に係合させる弾発部との間にコイルを有するダブルのトーションばねである
ことを特徴とする請求項１に記載のエキスパンションジョイント。
【請求項４】
上記ワイヤフォーミングばね及びトーションばねの取付部が受部材に設けた遊嵌溝に遊嵌されている
ことを特徴とする請求項２又は請求項３に記載のエキスパンションジョイント。
【発明の詳細な説明】
【技術分野】
【０００１】
本発明は、入隅をなして相対する第一構造物と第二構造部との間隙を、カバー材で閉塞させるエキスパンションジョイントに関する。
【背景技術】
【０００２】
従来、入隅をなして相対する第一構造物と第二構造物との間隙を、第一構造物側に設けたホルダーに支持されるカバー材で閉塞させるエキスパンションジョイントにおいて、カバー材のホルダーを隙間より前側に張り出す支持部で第一構造物に取り付け、この支持部にばねの取付部を支持させ、該ばねの弾発部をホルダーのばね受部に係合させることでカバー材のばね閉塞を行わせる構造とすることで、カバー材を隙間を覆う水平部にホルダーの支持部を覆う垂直部が連設された逆Ｌ字形に形成したものは知られている。（例えば、特許文献１参照）
【特許文献１】特許第３７８７５４３号公報
【０００３】
しかしながら、上記構造のエキスパンションジョイントは、逆Ｌ字形をなすカバー材の垂直部が第一構造物に沿って前方に突出するため、２つの構造物が突き合わさる入隅本来の外観が損なわれる問題点があった。
【発明の開示】
【発明が解決しようとする課題】
【０００４】
本発明は前記問題点を解消し、入隅をなして相対する２の構造物の隙間を平らなカバー材で閉塞させることで、カバー材が存在しても２つの構造物が突き合わさる入隅本来の外観が保たれるエスパンションジョイントを提供することをその課題とする。
【課題を解決するための手段】
【０００５】
上記課題を解決するため、請求項１に係る発明は、入隅をなして相対する第一構造物と第二構造物との間隙を、第一構造物にホルダーにより回動可能に取り付けたカバー材で閉塞させるエキスパンションジョイントにおいて、上記カバー材は、一端を第一構造物に接し、他端は第二構造物の一部分に重なるように延出する平なもので、裏側には第一構造物に近接して回動アームを有するホルダーを付設し、上記回動アームの基部を第一構造物に支持される受部材に枢着したものであり、上記ホルダーの裏側の中間部にはばねの摺動部を設けて、この摺動部に第一構造物に支持される受部材に取付部を支持させたばねの弾発部を係合させ、上記ホルダーの第二構造物に対応する当り面が第二構造物に押し当てられるようにしたことを特徴とする。
【０００６】
請求項２に係る発明は、上記ばねが受部材に支持される取付部と、ばねの摺動部に係合させる弾発部との間に可撓部を有するダブルのワイヤフォーミングばねであることを特徴とする。
【０００７】
請求項３に係る発明は、上記ばねが受部材に支持される取付部と、ばねの摺動部に係合させる弾発部との間にコイルを有するダブルのトーションばねであることを特徴とする。
【０００８】
請求項４に係る発明は、上記ワイヤフォーミングばね及びトーションばねの取付部が受部材に設けた遊嵌溝に遊嵌されていることを特徴とする。
【発明の効果】
【０００９】
請求項１に係る発明によれば、平らなカバー材の裏側に付設したホルダーに間隙の奥側に向かう回動アームを取り付け、この回動アームを第一構造物に支持される枢軸に枢着し、ホルダーのばねの摺動部には第一構造物に支持されるばねの弾発部を係合させたから、平らなカバー材は一端を第一構造物に接し、他端を第二構造物の一部分に重ならせて間隙を閉塞する。従って、入隅はカバー材が存在しても第一構造物に第二構造物が突き合わさる入隅本来の観念と体裁を保持することができて、しかも、平らなカバー材は従来の逆Ｌ字形をなすカバー材に比べて、簡単な型で製作することができて、使用する材料も少ないので安価に製作されてエキスパンションジョイントの設置費の低減にも寄与する。
【００１０】
請求項２に係る発明によれば、カバー材の閉塞を弾性で行うばねとして鋼線を曲げて形成したダブルのワイヤフォーミングばねを用いるため、ばねが安価であって取り付け易く、ダブル構成のため故障や損傷を生じ難い。
【００１１】
請求項３に係る発明によれば、カバー材の閉塞を弾性で行うばねとして可撓部をコイルにしたダブルのトーションばねを用いるため、ワイヤフォーミングばねに比べて弾性変形が柔軟に無理なく行なわれて、故障、損傷の低減に一層の効果が上がる。
【００１２】
請求項４に係る発明によれば、ワイヤフォーミングばねやトーションばねの取付部を受部材に設けた遊嵌溝に遊嵌すると、ばねの変形動作が支障なく円滑に行われるので、これによってもバネの故障、損傷の軽減が図れる。
【発明を実施するための最良の形態】
【００１３】
以下に本発明に係るエキスパンションジョイントの実施形態を図面について説明する。
【００１４】
図１において符号Ａは、エキスパンションジョイントの一実施態例を示す。この実施形態のエキスパンションジョイントＡは、入隅をなして相対する第一構造物１と第二構造物２との間隙３を、第一構造物１側にホルダー４によって回動可能に取り付けたカバー材５で閉塞させるものであって、上記カバー材５は、一端を第一構造物１に接し、他端は第二構造物２の一部分に重なるように延出する平なものであり、裏側に第一構造物１に近接して回動アーム６を有するホルダー４を付設して、上記回動アーム６の基部を第一構造物１に支持される受部材７に枢着したものであり、上記ホルダーの中間部にはばねの摺動部８を設けて、この摺動部８に第一構造物１に支持される受部材７に支持させたばね９の後記する弾発部を係合させて、上記ホルダー４の第二構造物２に対応する部分に設けた当り面１０が第二構造物２に押し当てられるように構成してある。
【００１５】
入隅をなして相対する第一構造物１と第二構造物２は、図１においては第一構造物１が壁であり、第二構造物２が天井である例を示す。しかし、両構造物１、２は床と壁、壁と壁であったり、あるいは、隣接して建設された別の建物であったりする場合も含まれる。
【００１６】
第一構造物１と第二構造物２の間隙３を閉塞させるカバー材５は、一端が第一構造物１に接し、他端部が第二構造物２の一部分に重なるように延出する平らなものであって、両先端部には第一構造物１に接する変位吸収体１１の嵌合部１２と、第二構造物２に接する変位吸収体１３の嵌合部１４とを有するようにアルミニウムの押し出し成形によって形成される。
【００１７】
カバー材５の裏側に取り付けるホルダー４は、第一構造物１側の端部に回動アーム６の受部１５を有し、この受部１５よりの中央寄りの部分には、ばね９における後記する弾発部の先端を移動可能に支持する摺動部８有し、第二構造物２側の端部には、第二構造物２の表面と面接触させるための当り面１０を有するようアルミニウムの押し出し成形によって形成される。そして、このホルダー４とカバー材５とはねじ１６によって結合されている。
【００１８】
ホルダー４に設けた受部１５に取り付ける回動アーム６は、間隙３の入口から奥側に向かって延びるものであって、前部に上記受部１５に重なる取付部１７を有し、後側に欠円形をなす軸受部１８を有するようにアルミニウムの押し出し成形によって形成される。そして、取付部１７はホルダー４に設けた受部１５に重ねてねじ、リベット等１９で固定し、軸受部１８を後記する枢軸２０に嵌合すると、ホルダー４とカバー材５がー第一構造物１に回動可能に取り付けられる。
【００１９】
第一構造物１に取り付ける受部材７は、上記回動アーム６に対応するように間隙３内で第一構造物１に取り付けられるものであって、奥端に回動アーム６の軸受部１８を嵌合する枢軸２０を有し、その前側にばね９の後記取付部を遊嵌する遊嵌溝２１が存在するようにアルミニウムの押し出し成形によって形成される。そして、この受部材７はねじ２２によって第一構造物１に取り付けられる。
【００２０】
カバー材５に閉塞力を与えるばね９は、図２の楕円内に示す通り、鋼線で垂直状の取付部９ａと水平状の弾発部９ｂとの間に斜めの可撓部９ｃが存在する２組が並設されるように形成したダブルのワイヤフォーミングばねであって、取付部９ａ、取付部９ａの先端に設けた鉤部２３、鉤部２３を受部材７に設けた遊嵌溝２１に掛け合わせ、弾発部９ｂ、弾発部９ｂの先端を連結する連結部２４をホルダー４に設けた摺動部８に係合させると、ばね９の弾力でホルダー４が回動されて、カバー材５による間隙３の閉塞を行うようにしてある。
【００２１】
上記構成のエキスパンションジョイントＡは、ホルダー４の一端に設けた受部１５へ回動アーム６の取付部１７をねじ、リベット１９等で結合して、ホルダー４に回動アーム６を固定し、ホルダー４に設けた摺動部８にワイヤフォーミングばね９の弾発部９ｂの先端に設けた連結部２４を収めて、ホルダー４をカバー材５の裏側にねじ１６で結合すると、カバー材５とホルダー４が一体化される。そこで、第一構造物１と第二構造物２との間隙３において、第一構造物１に受部材７をねじ２２で固定し、その奥側に設けた枢軸２０に回動アーム６の奥端に設けた軸受部１８を嵌合し、ワイヤフォーミングばね９の取付部９ａの先端に設けた鉤部２３、鉤部２３を、受部材７に設けた遊嵌溝２１に係合させれば、カバー材５は一端に装着される変位吸収材１１を第一構造物１に当接し、他端部を第二構造物２に重ならせて、ホルダー４の先端に設けた当り面１０とカバー材５の先端に装着した変位吸収材１３を第二構造物２に当接させた状態を、ワイヤフォーミングばね９の弾発部９ｂからホルダー４へ加えられる弾力によって保持される。従って、第一構造物１と第二構造物２とがなす入隅は、両構造物１、２が突き合わさる入隅本来の外観を呈するものであって、しかも、地震や地盤沈下等による間隙３の変動が起っても、カバー材５が変動を吸収しつつ間隙３の閉塞動作を継続するため故障や損傷を生ずることがない。
【００２２】
また、ホルダー４の先端に設けた当り面１０を、面状に形成してあるので、第二構造物２の下面に、凹凸が存在しても、カバー材５はその凹凸に影響されることなく水平を保つことができる。
【００２３】
図３において符号Ａは、エキスパンションジョイントの他の実施形態を示す。この実施形態のエキスパンションジョイントＡは、第一構造物１と第二構造物２及びカバー材５と受部材７の構造は、図１、図２に示す実施形態と変わらない。しかし、ホルダー４、回動アーム６、バネ９の構造には変化があるので、これらの構造等が変化する部材について以下に説明し、構造が同一の部材については同一の符号を付して説明を省略する。
【００２４】
カバー材５の裏側に取り付けるホルダー４は、第一構造物１と第二構造物２の間隙３に対応する部分４ａと第二構造物２に対応する部分４ｂとを段付きとして、部分４ｂは全面で第二構造物２に当る当り面１０となる形状とし、部分４ａの先端側には鉤形をなす回動アーム６の受部１５を有し、中央部にばね９における後記弾発部９ｂの先端を移動可能に支持する摺動部８を有し、部分４ｂの中間部にＬ形をなすカバー材５の接合部２５を有するようにアルミニウムの押し出し成形によって形成される。そして、このホルダー４とカバー材５とはねじ１６によって結合する。
【００２５】
ホルダー４の受部１５に取り付ける回動アーム６は、取付部１７がホルダー４に設けた受部１５のＬ形に合わせたＬ形をなし、中間部には後記するばねのコイル部に馴染む凹弧受部２６を有して、奥端には欠円形の軸受部１８を有するようにアルミニウムの押し出し成形によって形成される。そして、Ｌ形をなす取付部１７は短片をねじ、リベット等１９で受部１５の短片と接合することで、ホルダー４と一体化させてある。
【００２６】
カバー材５に閉塞力を与えるばね９は、図４の楕円内に示す通り、鋼線で垂直状の取付部９ａと水平状の弾発部９ｂとの間に多重コイルの可撓部９ｃが存在する２組が並設されるように形成したダブルのトーションばねであり、取付部９ａ、取付部9ａを先端で連結する連結部２７を受部材７に形成した遊嵌溝２１に遊嵌し、弾発部９ｂ、弾発部9ｂの先端に設けた鉤部２８、鉤部２８をホルダー４の摺動部８に係合させると、ばね９の弾力によって回動アーム６が回動され、カバー材５による間隙３の閉塞を行うようにしてある。
【００２７】
上記構成のエキスパンションジョイントＡは、ホルダー４の一端に設けたＬ形をなす受部１５に回動アーム６の取付部１７をねじ、リベット等１９により結合して、ホルダー４に回動アーム６を固定し、ホルダー４をカバー材５の裏側へねじ１６で結合するとカバー材５とホルダー４が一体化される。そして、受部材７に設けた遊嵌溝２１にトーションばね９の取付部９ａ、取付部９ａを連結する連結部２７を遊嵌してから、受部材７を第一構造物１と第二構造物２との間隙３において、第一構造物１にねじ２２で固定し、受部材７の奥端に設けた枢軸２０にホルダー４によりカバー材５に取り付けられた回動アーム６の軸受部１８を嵌合して、取付部９ａ、取付部９ａを受部材７に支持されるトーションばね９の弾発部９ｂ、弾発部９ｂの先端に形成した鉤部２８、鉤部２８をホルダー４に設けた摺動部８に係合させれば、カバー材５は一端に装着される変位吸収材１１を第一構造物１に当接し、他端部を第二構造物２に重ならせて、ホルダー４の先端に設けた当り面１０とカバー材５の先端に装着した変位吸収材１３を第二構造物２に当接させた状態を、トーションばね９の弾発部９ｂからホルダー４に加えられる弾力によって保持される。従って、第一構造物１と第二構造物２とがなす入隅は、両構造物１，２が突き合わさる本来の外観を呈するものであって、しかも、地震や地盤沈下等による間隙３の変動が起っても、カバー材５がこの変動を吸収しつつ間隙３の閉塞動作を継続するため故障や損傷を生ずることがない。
【００２８】
また、ホルダー４の先端に設けた当り面１０を、幅広の面状に形成してあるので、第二構造物２の下面に、凹凸が存在しても、カバー材５はその凹凸に影響されることなく水平を保つことができる。
【産業上の利用可能性】
【００２９】
本発明は、入隅をなして相対する第一構造物と第二構造物との間隙をカバー材で閉塞させても、入隅の本来の観念と体裁を損なわないようにするのに有効である。
【図面の簡単な説明】
【００３０】
【図１】エキスパンションョイントのカバー材閉塞をワイヤフォーミングばねで行う実施形態の断面図。
【図２】同上のカバー材を省略して示す斜視図。
【図３】エキスパンションョイントのカバー材閉塞をトーションばねで行う実施形態の断面図。
【図４】同上のカバー材を省略して示す斜視図。
【符号の説明】
【００３１】
Ａ  エキスパンションョイント
１  第一構造物
２  第二構造物
３  間隙
４  ホルダー
５  カバー材
６  回動アーム
７  受部材
８  摺動部
９  ばね
９ａ  取付部
９ｂ  弾発部
１０  当り面
【図１】
2008088661.tif 000003
【図２】
2008088661.tif 000004
【図３】
2008088661.tif 000005
【図４】
2008088661.tif 000006